(57)【要約】【課題】  少ない操作で、日時を設定できるようにする。【解決手段】  日時設定モードになると（Ｓ１０）、日時が設定済みか否かを判別する（Ｓ１１）。設定されていない場合（Ｓ１１）、「年」の桁が開始桁として点滅表示され（Ｓ１２）、順次、下の桁に向かって、各桁を設定する（Ｓ１３〜Ｓ１７）。設定済みの場合、「分」の桁が開始桁として点滅表示され、順次、上の桁に向かって、各桁を設定する。メニューボタンがオンになると、設定された数値を現在時刻として記憶し（Ｓ１８）、日時設定モードを終える。【選択図】  図２
2007271521.tif 000002
【特許請求の範囲】
【請求項１】
日時に関する複数の桁を設定する日時設定装置であって、
当該日時が設定済みか否かを判別する判別手段と、
当該日時が未設定の場合に、当該日時の第１の桁を設定開始桁として数値を設定し、当該日時が設定済みの場合に、当該第１の桁とは異なる当該日時の第２の桁を設定開始桁として数値を設定する数値設定手段
とを具備することを特徴とする日時設定装置。
【請求項２】
当該数値設定手段が、
当該日時が未設定の場合に、当該第１の桁から下位の桁の方向に桁を移動し、当該日時が設定済みの場合に、当該第２の桁から上位の方向に桁を移動する桁移動手段と、
当該桁移動手段の指定する桁で、数値を入力する数値入力手段
とを具備することを特徴とする請求項１に記載の日時設定装置。
【請求項３】
更に、当該第２の桁を使用者が設定する設定手段を具備することを特徴とする請求項１又は２に記載の日時設定装置。
【請求項４】
当該日時は、年、月、日、時、分及び秒の２つ以上を含むことを特徴とする請求項１乃至３の何れか１項に記載の日時設定装置。
【請求項５】
当該第１の桁が年を示す桁であり、当該第２の桁が分を示す桁であることを特徴とする請求項１乃至４の何れか１項に記載の日時設定装置。
【請求項６】
世界時計モードにおいて、当該第２の桁が、時を示す桁であることを特徴とする請求項１乃至５の何れか１項に記載の日時設定装置。
【請求項７】
更に、
前回の日時設定からの経過日数を計測する日数計測手段と、
当該日数計測手段の計測結果に従い、当該第２の桁を変更する変更手段
とを具備することを特徴とする請求項１乃至６の何れか１項に記載の日時設定装置。
【請求項８】
日時に関する複数の桁を設定する日時設定方法であって、
当該日時が設定済みか否かを判別する判別ステップと、
当該日時が未設定の場合に、当該日時の第１の桁を開始桁として数値を設定し、当該日時が設定済みの場合に、当該第１の桁とは異なる当該日時の第２の桁を開始桁として数値を設定する数値設定ステップ
とを具備することを特徴とする日時設定方法。
【請求項９】
当該数値設定ステップが、
当該日時が未設定の場合に、当該第１の桁から下位の桁の方向に桁を移動し、当該日時が設定済みの場合に、当該第２の桁から上位の方向に桁を移動する桁移動ステップと、
当該桁移動ステップの指定する桁で、数値を入力する数値入力ステップ
とを具備することを特徴とする請求項８に記載の日時設定方法。
【請求項１０】
当該数値設定ステップが、
当該日時が未設定の場合に、当該第１の桁から下位の桁の方向に桁を移動しつつ、各桁の数値を入力する第１の数値入力ステップと、
当該日時が設定済みの場合に、当該第２の桁から上位の桁の方向に桁を移動しつつ、各桁の数値を入力する第２の数値入力ステップ
とを具備することを特徴とする請求項８に記載の日時設定方法。
【請求項１１】
更に、当該第２の桁を使用者が設定する設定ステップを具備することを特徴とする請求項８乃至１０の何れか１項に記載の日時設定方法。
【請求項１２】
当該日時は、年、月、日、時、分及び秒の２つ以上を含むことを特徴とする請求項８乃至１１の何れか１項に記載の日時設定方法。
【請求項１３】
当該第１の桁が年を示す桁であり、当該第２の桁が分を示す桁であることを特徴とする請求項８乃至１２の何れか１項に記載の日時設定装置。
【請求項１４】
世界時計モードにおいて、当該第２の桁が、時を示す桁であることを特徴とする請求項８乃至１３の何れか１項に記載の日時設定方法。
【請求項１５】
更に、
前回の日時設定からの経過日数を計測する日数計測ステップと、
当該日数計測ステップの計測結果に従い、当該第２の桁を変更する変更ステップ
とを具備することを特徴とする請求項８乃至１４の何れか１項に記載の日時設定方法。
【発明の詳細な説明】
【技術分野】
【０００１】
本発明は、日時設定を行う日時設定装置及びその方法に関する。
【背景技術】
【０００２】
従来、デジタル時計の時刻設定方法として、独立に設けられた「時」を設定するキーと、「分」を設定するキーを独立に設け、これらのキーを押すことにより、時刻を設定する構成が知られている（特許文献１）。また、「桁送り」キーと「数字送り」キーを独立に設け、年、月、日、時及び分を順に設定する構成も知られている（特許文献２）。
【０００３】
さらに、上下又は左右への回動による数値送りとプッシュによる決定が可能なキーを利用し、上下又は左右への回動で数値を変更し、プッシュで決定と次の桁への移動を行う構成も知られている（非特許文献１）。
【特許文献１】特開平０６−３４１７１３
【特許文献２】特開２００１−０６１８１４
【非特許文献１】キヤノン（株）デジタルビデオカメラ「ＦＶ  Ｍ２００」使用説明書の「日時を設定する」の項  Ｐ．２６
【発明の開示】
【発明が解決しようとする課題】
【０００４】
しかしながら、特許文献１に記載の構成は、独立した設定ボタンを押さなければ、桁が設定できなかったため、操作者にとって面倒な作業であった。また、独立した設定ボタンの分だけ部品コストが高くなり、部品配置面積も大きくなってしまい、モバイル製品への適用が困難であった。
【０００５】
特許文献２及び非特許文献１に記載の構成は、上位の桁から下位の桁に順次設定を行っていたため、桁移動しなくてはならなく、設定が面倒であった。
【０００６】
そこで、本発明では、上記の問題点に鑑み、より少ない操作で日時設定が行える日時設定装置及びその方法を提示することを目的とする。
【課題を解決するための手段】
【０００７】
上記の目的を達成するために、本発明に係る日時設定装置は、日時に関する複数の桁を設定する日時設定装置であって、当該日時が設定済みか否かを判別する判別手段と、当該日時が未設定の場合に、当該日時の第１の桁を設定開始桁として数値を設定し、当該日時が設定済みの場合に、当該第１の桁とは異なる当該日時の第２の桁を設定開始桁として数値を設定する数値設定手段とを具備することを特徴とする。
【０００８】
本発明に係る日時設定方法は、日時に関する複数の桁を設定する日時設定方法であって、当該日時が設定済みか否かを判別する判別ステップと、当該日時が未設定の場合に、当該日時の第１の桁を開始桁として数値を設定し、当該日時が設定済みの場合に、当該第１の桁とは異なる当該日時の第２の桁を開始桁として数値を設定する数値設定ステップとを具備することを特徴とする。
【発明の効果】
【０００９】
本発明によれば、日時未設定状態と日時設定済み状態とは開始桁を異ならせ、設定時には設定に適した桁を、補正時には補正に適した桁をそれぞれ指定できるので、デジタル時計の初期設定及び時刻補正を快適に行うことができる。
【発明を実施するための最良の形態】
【００１０】
以下、図面を参照して、本発明の実施例を詳細に説明する。
【実施例１】
【００１１】
図１は、本発明に係るカメラ一体型ＶＴＲの一実施例の概略構成ブロック図である。図１において、カメラ一体型ＶＴＲ１０は、撮像部１２、カメラ信号処理部１４、カメラ系制御部１６、ＶＴＲブロック１８、信号処理部２０、スピーカ２６、液晶パネル２８、システム制御部３０、操作部３２及び電源部３４を具備する。
【００１２】
撮像部１２は光学系レンズ、ＣＣＤ等の撮像素子、オートフォーカス機構及びズーム機構等からなり、被写体の焦点と光量等を調整して、光学像を電気信号に変換する。カメラ信号処理部１４は、Ａ／Ｄ部及びゲイン補正部等を具備し、デジタル変換やゲイン補正等を行う。
【００１３】
カメラ系制御部１６はマイクロコンピュータ（ＭＰＵ）等により構成され、カメラ一体型ＶＴＲ１０の全体を制御する。ＶＴＲブロック１８はテープ送り機構、回転ドラム駆動機構及びサーボ制御機構等から構成され、記録媒体（不図示）に記録・再生動作を行う。ＶＴＲブロック１８の代わりに、ＤＶＤドライブ、カードリーダーライタ又はハードディスクドライブ等を使用しても良い。
【００１４】
信号処理部２０は、記録系信号処理部２２及び再生系信号処理部２４を具備する。記録系信号処理部２２は、カメラ信号処理部１４からのデジタル信号に所定の記録信号処理を施す。再生系信号処理部２４は、ＶＴＲブロック１８から再生された信号に所定の再生信号処理を施す。
【００１５】
スピーカ２６は再生系信号処理部２４からの音声を発音する。操作部３２は、カメラ一体型ＶＴＲ１０のモード（カメラモード／切／ＶＴＲモード）を選択するモード切替えスイッチを具備する。また、操作部３２は撮像スイッチ、再生スイッチ、停止スイッチ、早送りスイッチ、巻き戻しスイッチ、メニューボタン４０及び設定ボタン４２を具備する。ユーザは、これらのスイッチにより、カメラモードとＶＴＲモードを選択でき、それぞれのモードでカメラ一体型ＶＴＲ１０を操作できる。さらに、操作部３２は、ＡＦ（オートフォーカス）オン／オフ、ＡＥ（自動露出）オート／ロック及びＡＥプログラム等を設定できる。
【００１６】
液晶パネル２８は、文字及び記号の表示、メニュー設定時のガイド表示、並びに警告表示等を表示する。
【００１７】
電源部３４は、リチウムイオン電池及びリチウムボタン電池等を具備し、リチウムイオン電池はシステム全体に電力を供給し、リチウムボタン電池は各種のデータ又は時計回路のバックアップ電源となる。
【００１８】
システム制御部３０はマイクロコンピュータ、メモリ、Ｉ／Ｏ、割り込みコントローラ、発振回路及び時計回路等から構成され、カメラ一体型ＶＴＲ１０の各種機能を総合的に制御する。
【００１９】
次に、図２乃至図８を用いて、本実施例の日時設定の全体動作を説明する。図２及び図３は、本実施例１に係る日時設定のフローチャートである。また、図４（ａ）はメニューボタン４０の正面図を示し、図４（ｂ）は設定ボタン４２の斜視図を示す。図５乃至図７は、日時設定の表示例である。
【００２０】
メニューボタン４０及び設定ボタン４２を使って、日時設定モードに入る（Ｓ１０）。具体的には、ユーザが図４（ａ）に示すメニューボタン４０を押下すると、図５（ａ）に示すような「カメラメニュー」が液晶パネル２８に表示される。ユーザが図４（ｂ）に示す設定ボタン４２を上／下方向４４，４６に回動させると、液晶パネル２８の画面上で、カーソル５４が上／下に移動するので、「システム設定」にカーソル５０を合わせる。この状態でユーザが設定ボタン４２を押し込むと、図５（ｂ）に示す「システム設定」メニューが表示される。そして、「システム設定」の「日時設定」にカーソル５０を合わせ、再び設定ボタン４２を押し込むと、日時設定モードになる。
【００２１】
日時設定モードになると（Ｓ１０）、日時が設定済みか否かを判別する（Ｓ１１）。日時が未設定の場合（Ｓ１１）、図６（ａ）に示すように「年」の桁が点滅表示される（Ｓ１２）。図６（ａ）乃至（ｅ）の破線の丸は、点滅表示を示す。
【００２２】
メニューボタン４０が押下されたか否かを判別する（Ｓ１３）。メニューボタン４０が押下されないと（Ｓ１３）、設定ボタン４２が上／下方向のいずれかに操作されたか否かを判別する（Ｓ１４）。例えば、設定ボタン４２が上方向に操作されると（Ｓ１４）、「年」の桁の数値が１つだけ加算され（Ｓ１５）、設定ボタン４２が下方向に操作されると（Ｓ１４）、「年」の桁が１つだけ減算される（Ｓ１５）。そして、設定ボタン４２が押下されたか否かを判別する（Ｓ１６）。
【００２３】
設定ボタン４２が押下されると（Ｓ１６）、「年」の桁から下の桁、即ち「月」の桁に切り替わり（Ｓ１７）、図６（ｂ）に示すように、「月」の桁が点滅表示され、ステップ１３に戻る。設定途中では、設定ボタン４２の押下の都度、設定対象の桁が下位に移動し、再下位のときには最上位に移動する。
【００２４】
このようにして、メニューボタン４０が押下されるまで、「年」から始まり下の桁に移動しつつ、各桁を循環的に設定する。メニューボタン４０が押下されると（Ｓ１３）、設定日時が現在時刻としてシステム制御部３０のメモリに保存される（Ｓ１８）。システム制御部３０は、以後、メモリに保存される日時を時計回路からのクロックに従い変更していく。
【００２５】
日時が設定済みの場合（Ｓ１１）、先ず、図７（ａ）に示すように「分」の桁が点滅表示される（Ｓ２０）。図７（ａ）乃至（ｅ）の破線の丸は、点滅表示を示す。
【００２６】
メニューボタン４０が押下されたか否かを判別する（Ｓ２１）。メニューボタン４０が押下されないと（Ｓ２１）、設定ボタン４２が上／下方向のいずれかに操作されたか否かを判別する（Ｓ２２）。例えば、設定ボタン４２が上方向に操作されると（Ｓ２２）、「分」の桁が１つだけ加算され（Ｓ２３）、設定ボタン４２が下方向に操作されると（Ｓ２２）、「分」の桁が１つだけ減算される（Ｓ２３）。そして、設定ボタン４２が押下されたか否かを判別する（Ｓ２４）。
【００２７】
設定ボタン４２が押下されると（Ｓ２４）、「分」の桁から上の桁、即ち「時」の桁に切り替わり（Ｓ２５）、図７（ｂ）に示すように、「時」の桁が点滅表示され、ステップＳ２１に戻る。
【００２８】
このようにして、メニューボタン４０が押下されるまで、「分」から始まり上の桁に移動しつつ、各桁に数値を設定する。メニューボタン４０が押下されると（Ｓ２１）、設定日時が現在時刻としてシステム制御部３０のメモリに保存される（Ｓ１８）。
【００２９】
年月日の修整は、通常、「分」の桁の修整がほとんどであり、その次に、「月」であることから、ステップＳ２０〜Ｓ２５により、迅速に日時を修整できる。
【００３０】
このように、本実施例では、設定済みか否かに応じて、先頭の桁を変更するので、より少ない操作で日時を設定及び修整を行える。
【００３１】
なお、本実施例では、設定可能な桁を「年」、「月」、「日」、「時」及び「分」としたが、必ずしもすべての桁を使用しなければならないわけではない。また、設定可能な桁に「秒」を加えてもよい。
【実施例２】
【００３２】
図８は、図３に示すフローの変更例を示す。この変更例では、日時設定の開始桁をユーザが任意に設定できるようにした。図９は、表示画面例を示す。
【００３３】
日時設定の開始桁が使用者により予め設定されているかどうかを確認する（Ｓ３０）。開始桁が設定されている場合（Ｓ３０）、設定された開始桁を点滅表示し（Ｓ３１）、開始桁が設定されていない場合（Ｓ３０）、デフォルトの桁、ここでは「分」の桁を点滅表示する（Ｓ３２）。以後、開始桁から上の桁に向かって循環する方向で、各桁に順次、数値を設定していく（Ｓ２１〜Ｓ２５）。このステップＳ２１〜Ｓ２５は、図３と同じであるので、詳細な説明を省略する。
【００３４】
開始桁は、例えば、図９（ａ）に示す「カメラメニュー」のシステム設定を選択し、図９（ｂ）に示すように「システム設定」の日時設定開始桁を選択し、図９（ｃ），（ｄ）に示すように、開始桁を指定する。
【実施例３】
【００３５】
図１０は、図３に示すフローの別の変更例を示す。この変更例では、世界時計モードの場合には（Ｓ４０）、「時」の桁を開始桁として点滅表示し（Ｓ４１）、そうでない場合には、「分」の桁を開始桁として点滅表示するようにした（Ｓ４２）。以後、開始桁から上の桁に向かって循環する方向で、各桁に順次、数値を設定していく（Ｓ２１〜Ｓ２５）。このステップＳ２１〜Ｓ２５は、図３と同じであるので、詳細な説明を省略する。
【００３６】
これは、海外旅行時などに便利である。
【実施例４】
【００３７】
図１１は、図３に示すフローの更に別の変更例を示す。この変更例では、直前の日時設定から今回の日時設定までの経過日数をモニタし、所定の日数が経過している場合には（Ｓ５０）、「日」の桁を開始桁として点滅表示し（Ｓ５１）、そうでない場合には、「分」の桁を開始桁として点滅表示するようにした（Ｓ５２）。以後、開始桁から上の桁に向かって循環する方向で、各桁に順次、数値を設定していく（Ｓ２１〜Ｓ２５）。このステップＳ２１〜Ｓ２５は、図３と同じであるので、詳細な説明を省略する。
【００３８】
この動作のために、この変更例では、システム制御部３０は、日時設定の直前の実行日を記憶している。現在の日時と日時設定の直前の実行日との差を算出することで、所定日数を経過しているかどうかを判別できる。
【図面の簡単な説明】
【００３９】
【図１】本発明に係るカメラ一体型ＶＴＲの一実施例の概略構成ブロック図である。
【図２】本実施例１の日時設定フローチャートの一部である。
【図３】本実施例１の日時設定フローチャートの一部である。
【図４】メニューボタン４０の正面図と設定ボタン４２の斜視図である。
【図５】日時設定モードの表示例である。
【図６】日時設定の表示例である。
【図７】日時設定の表示例である。
【図８】図３に示すフローの変更例である。
【図９】図８に示すフローに対する日時設定の表示例である。
【図１０】図３に示すフローの別の変更例である。
【図１１】図３に示すフローの更に別の変更例である。
【符号の説明】
【００４０】
１０  カメラ一体型ＶＴＲ
１２  撮像部
１４  カメラ信号処理部
１６  カメラ系制御部
１８  ＶＴＲブロック
２０  信号処理部
２２  記録系信号処理部
２４  再生系信号処理部
２６  スピーカ
２８  液晶パネル
３０  システム制御部
３２  操作部
３４  電源部
４０  メニューボタン
４２  設定ボタン
５０  カーソル
【図１】
2007271521.tif 000003
【図２】
2007271521.tif 000004
【図３】
2007271521.tif 000005
【図４】
2007271521.tif 000006
【図５】
2007271521.tif 000007
【図６】
2007271521.tif 000008
【図７】
2007271521.tif 000009
【図８】
2007271521.tif 000010
【図９】
2007271521.tif 000011
【図１０】
2007271521.tif 000012
【図１１】
2007271521.tif 000013